(57)【特許請求の範囲】
【請求項１】
一個又は二個のレンズがパッドを省略して形成されているレンズ部（１１、１１）と、このレンズ部（１１、１１）の両脇のヨロイ（２、２）とを介して、延長されているテンプル（４、４）の後に、モダン（３、３）が結合されているメガネであって、前記モダン（３、３）が耳殻（２０、２０）の外側の形状に沿わせて延長されており、その終端部は耳朶（５、５）を避けるように前方に湾曲されており、このモダン（３、３）の終端部の最後尾には、メガネを固定するための保持体（７、７）が設けられていて、この保持体（７、７）が耳珠（１、１）の表裏面に当接した形状に成されていることを特徴とする耳つぼメガネ。
【請求項２】
前記テンプル（４、４）の後に結合した前記モダン（３、３）の、終端部の最後尾に取り付けた前記保持体（７、７）が、耳つぼの飢点（６、６）及び／又は耳つぼの副腎（１２、１２）の表裏面に当接した形状に成されていることを特徴とする請求項１記載の耳つぼメガネ。
【請求項３】
前記テンプル（４、４）の後に結合した前記モダン（３、３）の、終端部の最後尾に取り付けた前記保持体（７、７）の形状が、弾性体（８）を介して、前記耳珠（１、１）及び／又は耳つぼの飢点（６、６）及び／又は耳つぼの副腎（１２、１２）の表裏面を挟むように成されていることを特徴とする請求項１記載の耳つぼメガネ。
【請求項４】
前記テンプル（４、４）の後に結合した前記モダン（３、３）及び／又は前記保持体（７、７）から補助棒（１４、１４）が延設されていて、この補助棒（１４、１４）に取り付けた接触部材（１５）が、耳つぼに当接するように成されていることを特徴とする請求項１〜３の何れかに記載の耳つぼメガネ。
【請求項５】
前記テンプル（４、４）の後に結合した前記モダン（３、３）及び／又は前記保持体（７、７）に、耳穴（１３）内の窪みの形状に沿って湾曲した板状体（３３）又は網状体（３４）を取り付け、この板状体（３３）又は網状体（３４）に取り付けた前記接触部材（１５）が、耳つぼに当接するように成されていることを特徴とする請求項１〜４の何れかに記載の耳つぼメガネ。
【請求項６】
前記テンプル（４、４）の後に結合した前記モダン（３、３）の、終端部の最後尾に取り付けた前記保持体（７、７）及び／又は前記接触部材（１５）に、耳つぼに当接する天然鉱石（９）又は突起部（１７）又は低周波治療器の小パッド（２２）が設けられていることを特徴とする請求項１〜５の何れかに記載の耳つぼメガネ。
【請求項７】
前記テンプル（４、４）の後に結合した前記モダン（３、３）及び／又は前記保持体（７、７）及び／又は前記補助棒（１４、１４）及び／又は前記接触部材（１５、１５）及び／又は前記板状体（３３）及び／又は前記網状体（３４）に、装飾品（１９）が取り付けられていることを特徴とする請求項１〜６の何れかに記載の耳つぼメガネ。
【請求項８】
前記テンプル（４、４）の後に結合した前記モダン（３、３）の、終端部の最後尾に取り付けた前記保持体（７、７）及び／又は前記補助棒（１４、１４）に、イヤホーン（３５）又は補聴器（３６）が取り付けられていることを特徴とする請求項１〜７の何れかに記載の耳つぼメガネ。
【請求項９】
前記テンプル（４、４）及び／又はモダン（３、３）に、頭の側面に当接するメガネ固定具（１８）が設けられていることを特徴とする請求項１〜８の何れかに記載の耳つぼメガネ。
【発明の詳細な説明】
【技術分野】
【０００１】
本発明は、耳つぼ効果があるメガネに関する。
【背景技術】
【０００２】
従来、パッド無しメガネは、テンプル４の後に結合されているモダン３が、耳殻２０の外側の形状に沿わせて延長されており、その終端部は耳朶５を避けるように前方に湾曲されており、このモダン３の終端部の最後尾には、メガネを固定するための保持体７が、耳穴１３内の窪んだ部分に当接することによって、メガネのレンズ部１１を浮かせて鼻に接触することなく掛けることができる。また、テンプル４及び／又はモダン３に取り付けたメガネ固定具１８を頭の側面に当接させることによって、メガネの固定を補助している。鍼灸理論に基づいた耳のツボ療法の耳つぼとして、飢点６は食欲を抑制するツボ。肺３２は食欲中枢のある脳の視床下部とつながっていて刺激することにより、無理なく食べる量が減ってくるツボ。神門３０はダイエット中のストレスを緩和するツボ。胃２３は胃の働きを良くするツボ。脳点３１は神経機能の調整するツボ。内分泌１０は新陳代謝の促進するツボなどがある。耳つぼを刺激して気の流れをスムーズにすることによって、耳つぼの効果を体験することができる。
【先行技術文献】
【特許文献】
【０００３】
【特許文献１】特開２０１０−１７６０４４
【特許文献２】特開２０１１−９９９３９
【０００４】
特許文献１は、出願人が先に取得している特許第４３７１３３１号であり、耳殻の外側の形状に沿わせて延長されたメガネのモダンの終端部が耳朶を避けるように前方に湾曲され、このモダンの終端部の最後尾には、メガネを固定するための保持体が設けられていて、この保持体によって、メガネのレンズ部を浮かせて掛けることができる。
【０００５】
特許文献２は、出願人が先に取得している特許第４４６５６９１号であり、これは特許第４３７１３３１号のパッド無しメガネのテンプル又はモダンにメガネ固定具を取り付けたものである。この固定具によってメガネの固定が補助されている。
【発明の概要】
【発明が解決しようとする課題】
【０００６】
日常生活でメガネを必要とする人は多く、メガネを掛けている時間は長時間となる。鼻に接触することなく掛けることができるメガネを、固定している保持体７を利用して、このメガネを掛けている時に、一般的に成されている鍼灸理論に基づいた耳のツボ療法が可能となることを課題としている。
【課題を解決するための手段】
【０００７】
レンズ部１１が鼻に接触することなく掛けることができるメガネの、モダン３の終端部の最後尾に取り付けた保持体７の形状が、耳の耳珠（じじゅ）１近傍（耳つぼの飢点６、副腎１２）の表裏面を包み込むようにして当接した形状に成されている。この保持体７には、メガネのレンズ部１１、ヨロイ２、テンプル４、モダン３の重さによる押圧が懸かっており、この押圧が耳つぼに当接することにより耳つぼが刺激され、耳つぼの効果が得られる構成である。
【発明の効果】
【０００８】
本発明の効果として、このメガネを掛けた人の外観は、耳朶５の前にモダン３の一部分と保持体７の外側が見えるだけである。髪の毛の多い人は、このモダン３、保持体７が髪の毛に隠れて見えないので、どこで止めているのか分からない。メガネのパッドが無いので、メガネのデザイン性、ファッション性が向上し、長期間メガネを掛けていても、メガネのパッドが当たる部分に型が付いたり、皮膚の色が変色したりすることが無い。またメガネを掛けた時、鼻の横に接するものが無く重さを感じる事が無いので、メガネの装着感が良い。このメガネを固定している保持体７の形状を、耳の耳珠１を包み込むようにして耳つぼに当接する形状にすることにより、耳つぼを刺激し気の流れをスムーズにして、メガネを掛けている間に耳つぼの効果が得られる
【図面の簡単な説明】
【０００９】
【図１】本発明１の実施の形態の一例を示す斜視図、側面図である。
【図２】本発明１の実施の形態の一例を示す斜視図、側面図である。
【図３】本発明１の実施の形態の一例を示す説明図である。
【図４】本発明２の実施の形態の一例を示す側面図である。
【図５】本発明３の実施の形態の一例を示す説明図である。
【図６】本発明４の実施の形態の一例を示す側面図である。
【図７】本発明５の実施の形態の一例を示す側面図である。
【図８】本発明６の実施の形態の一例を示す斜視図である。
【図９】本発明７の実施の形態の一例を示す側面図である。
【図１０】本発明８の実施の形態の一例を示す上面図、斜視図である。
【図１１】本発明９の実施の形態の一例を示す側面図、斜視図である。
【発明を実施するための形態】
【００１０】
メガネのモダン３が耳殻２０の外側の形状に沿わせて延長されており、その終端部は耳朶５を避けるように前方に湾曲され、このモダン３の終端部の最後尾には、メガネを固定するための保持体７を設け、この保持体７が耳珠１近傍の耳つぼの表裏面に当接した形状に成されている。また、保持体７から延設されている補助棒１４に取り付けた接触部材１５が、耳穴１３内の耳つぼに当接するような構成である。
【実施例１】
【００１１】
そこで、本発明の請求項１記載の耳つぼメガネ（以下、本発明１と言う）は、一個又は二個のレンズがパッドを省略して形成されているレンズ部１１、１１と、このレンズ部１１、１１の両脇のヨロイ２、２とを介して、延長されているテンプル４、４の後に、モダン３、３が結合されているメガネであって、前記モダン３、３が耳殻２０、２０の外側の形状に沿わせて延長されており、その終端部は耳朶５、５を避けるように前方に湾曲されており、このモダン３、３の終端部の最後尾には、メガネを固定するための保持体７、７が設けられていて、この保持体７、７が耳珠１、１の表裏面に当接した形状に成されていることを特徴としている。
【００１２】
実施の形態の一例として、第１ａ図は本発明１のメガネの斜視図であり、第１ｂ図はこのメガネを掛けた状態の側面図であり、第１ｃ図は耳珠１の位置を示す耳の拡大斜視図である。二個のレンズがパッドを省略して形成されているレンズ部１１、１１と、このレンズ部１１、１１の両脇のヨロイ２、２とを介して、延長されているテンプル４、４の後に、モダン３、３を結合させ、このモダン３、３を耳殻２０、２０の外側の形状に沿わせて延長させ、その終端部は耳朶５、５を避けるように前方に湾曲させて、このモダン３、３の終端部の最後尾に、メガネを固定するための保持体７、７を設け、この保持体７、７が耳珠１、１近傍の表裏面を包み込むようにして当接した形状に成されていることを示している。
【００１３】
かかる構成により、メガネを掛けた時、レンズ部１１、両脇のヨロイ２、テンプル４、モダン３の全重量が保持体７に、前方への押圧として掛かってくる。この押圧が押す位置は耳の耳珠１近傍である。この耳珠１の形状は人により様々な形状をしているが、顔の側面より外側に突出した形状である。この突出した形状を包み込むように保持体７は形成されている。包み込むことによって、耳珠１に当接する力を分散させることができる。保持体７が耳珠１に押圧として掛かる力の方向は、頭の側面に対して平行であり、メガネの重さを十分支えることができる。メガネの重量は１５ｇ〜５０ｇ位である。
【００１４】
実施の形態の一例として、第２ａ図は本発明１のメガネのテンプル４にバンド状体３７を取り付けた斜視図であり、第２ｂ図はこのメガネを掛けた状態の側面図である。メガネの両テンプル４にバンドの両端を取り付け、頭の上に掛け渡したバンドは、レンズ部１１、両脇のヨロイ２、テンプル４、モダン３の全重量を支えることができるので、保持体７に掛かる押圧を軽減することができる。よって、長時間、長期間メガネを掛けることができる。勉強中、仕事中、読書中に掛けるメガネ、屋内で使用することが多い３Ｄ用メガネ、帽子を被っている時のサングラスなどに適している。本発明１の保持体７、７が耳珠１、１の表裏面に当接した形状とは、耳珠１の表裏面を包み込む形状、挟み込む形状、表裏面の周りを巻いたリング形状である。
【００１５】
実施の形態の一例として、第３ａ図は本発明１の保持体７の上面図、第３ｂ図は傾斜図、第３ｃ図は側面図である。モダン３の終端部の最後尾に取り付けた保持体７を示している図である。耳珠１を包み込むために中央部内側に空間部を設け、両側面で囲むような形状であり、メガネを掛ける時に耳珠１の位置に当接させることが出来る。保持体７を様々な人に合わせるために、モダン３に連結した保持体７を動くように取り付けることができる。また、モダン３、保持体７を着脱自在に取り付けることもできる。
【００１６】
実施の形態の一例として、第３ｄ図は本発明１のリング状体１６の保持体７の上面図、第３ｅ図は傾斜図、第３ｆ図は側面図である。保持体７をリング状体１６にすることにより、通気性を良くしてより広い範囲の耳珠１近傍に当接させてメガネを固定することができる。様々の人の耳珠１の形状に柔軟に対応できる。実施の形態の一例として、第３ｇ図は本発明１の挟む形状の保持体７の上面図、第３ｈ図は傾斜図、第３ｉ図は側面図であり、二股に分かれた棒状の保持体７が、耳珠１を挟み込んでメガネを止めることができる形状であり、着脱し易い形状である。
【００１７】
本発明１の保持体７の材質はモダン３と同一であり、プラスチック、ゴム、金属、セラミック、竹、木などであり、保持体７は肌に優しいスポンジなどの材質のカバーを被せることもできる。本発明１で言うメガネは、老眼鏡、度付きメガネ、３Ｄ用メガネ、伊達メガネ、サングラス、風防メガネ、カメラ取り付けメガネ、レンズ部１１に拡大鏡を入れたメガネ、ライトを取り付けたメガネなどである。
【実施例２】
【００１８】
本発明の請求項２記載の耳つぼメガネ（以下、本発明２と言う）は、前記テンプル４、４の後に結合した前記モダン３、３の、終端部の最後尾に取り付けた前記保持体７、７が、耳つぼの飢点６、６及び／又は耳つぼの副腎１２、１２の表裏面に当接した形状に成されていることを特徴としている。
【００１９】
実施の形態の一例として、第４ａ図は本発明２の耳つぼの飢点６、副腎１２の位置を示す側面図であり、第４ｂ図は本発明２の保持体７が耳つぼの飢点６、副腎１２の表裏面を包み込んだ状態の側面図である。テンプル４の後にモダン３を耳殻２０の外側の形状に沿わせて延長させ、その終端部は耳朶５を避けるように前方に湾曲させ、このモダン３の終端部の最後尾には、保持体７が耳つぼの飢点６、副腎１２の表裏面を包み込むように、飢点６、副腎１２に当接して設けられていることを示している。
【００２０】
かかる構成により、耳珠１近傍の表裏面を包み込むように保持体７が当接しているので、メガネの重さは保持体７内で分散され支えられる。耳つぼの飢点６、副腎１２の表裏面には保持体７が当接した状態を長時間維持することができる。飢点６は食欲を抑制する。副腎１２はアドレナリン（エピネフリン）のようなホルモンを分泌し、血圧、心拍数、発汗や、交感神経系によっても調節される他の身体活動の制御に影響を与える。耳つぼを刺激して気の流れをスムーズにすることによって、耳つぼの飢点６、副腎１２の効果を体感することができる。
【００２１】
本発明２のメガネは、メガネが重い３Ｄ用メガネに適している。３Ｄ映画、３Ｄテレビを長時間見ている間、多くの人は間食をしている。耳つぼを押さえる本発明のメガネを掛けながら映画、テレビ、パソコン、ゲームをすることによって、食べる量が減少してダイエットをすることができる。本発明２の伊達メガネを掛けてダイエットすることもできる。
【実施例３】
【００２２】
本発明の請求項３記載の耳つぼメガネ（以下、本発明３と言う）は、前記テンプル４、４の後に結合した前記モダン３、３の、終端部の最後尾に取り付けた前記保持体７、７の形状が、弾性体８を介して、前記耳珠１、１及び／又は耳つぼの飢点６、６及び／又は耳つぼの副腎１２、１２の表裏面を挟むように成されていることを特徴としている。
【００２３】
実施の形態の一例として、第５ａ図は本発明３の弾性体８を取り付けた保持体７の上面図であり、第５ｂ図は斜視図である。保持体７の後面にクリップ取り付け、指で摘むようにして保持体７を開け、耳珠１、飢点６、副腎１２を挟むようにしている。第５ｃ図は本発明３の弾性体８を取り付けた保持体７の上面図であり、第５ｄ図は側面図である。保持体７自体が柔らかい弾性力のある弾性体８である。第５ｅ図は本発明３の弾性体８を取り付けた保持体７の上面図であり、第５ｆ図は斜視図である。保持体７に回動部を設けてバネを取り付け、耳つぼだけに当接するように棒状接触材を回動自在に取り付けている。
【００２４】
かかる構成により、保持体７をバネで挟む力を利用した構造にするか、保持体７を弾性のある材質にすることにより耳つぼを押さえ、耳つぼに対して効果的な刺激の保持体７にすることができる。
【実施例４】
【００２５】
本発明の請求項４記載の耳つぼメガネ（以下、本発明４と言う）は、前記テンプル４、４の後に結合した前記モダン３、３及び／又は前記保持体７、７から補助棒１４、１４が延設されていて、この補助棒１４、１４に取り付けた接触部材１５が、耳つぼに当接するように成されていることを特徴としている。
【００２６】
実施の形態の一例として、第６ａ図は耳つぼの位置と耳つぼの名前の説明図である。耳つぼには、飢点６、副腎１２、内分泌１０、胃２３、腎２４、腰痛点２５、肩関節２６、目２７、子宮２８、膝関節２９、神門３０、脳点３１、肺３２などがある。６ｂ図は本発明４の補助棒１４に取り付けた接触部材１５の側面図である。モダン３に取り付けた接触部材１５は内分泌１０に当接し、保持体７から延設した接触部材１５は、脳点３１、胃２３、腎２４、腰痛点２５、膝関節２９、神門３０、子宮２８と当接していることを示している。補助棒１４は保持体７に着脱自在に取り付けることもできる。
【００２７】
かかる構成により、従来、つぼ治療所などでは鍼・灸・指圧手などで耳つぼ療法が成されているが、保持体７から補助棒１４を延設することによって、好みの複数の耳つぼを選択し、耳つぼの効果を体験することができる。神門３０はダイエット中のストレスを緩和するツボ。胃２３は胃の働きを良くするツボ。
【実施例５】
【００２８】
本発明の請求項５記載の耳つぼメガネ（以下、本発明５と言う）は、前記テンプル４、４の後に結合した前記モダン３、３及び／又は前記保持体７、７に、耳穴１３内の窪みの形状に沿って湾曲した板状体３３又は網状体３４を取り付け、この板状体３３又は網状体３４に取り付けた前記接触部材１５が、耳つぼに当接するように成されていることを特徴としている。
【００２９】
実施の形態の一例として、第７ａ図は本発明５の保持体７に耳穴１３内の窪みの形状に沿って湾曲した板状体３３を取り付けた図である。第７ｂ図は本発明５の保持体７に耳穴１３内の窪みの形状に沿って湾曲した網状体３４を取り付けた図である。
【００３０】
かかる構成により、本発明５の板状体３３又は網状体３４は、当接させる耳つぼの位置によって形状を変え、其々の耳つぼに接触部材１５が当接するように製作して耳つぼ療法をすることができる。
【００３１】
本発明で言う耳穴１３とは、外耳道２１ではなく耳殻２０、耳朶５で囲われた凹んだ部分を指している。本発明５の板状体３３の材質は、合成樹脂、金属、不織布、本発明５の網状体３４の材質は、プラスチック網であり、通気性が良い。
【実施例６】
【００３２】
本発明の請求項６記載の耳つぼメガネ（以下、本発明６と言う）は、前記テンプル４、４の後に結合した前記モダン３、３の、終端部の最後尾に取り付けた前記保持体７、７及び／又は前記接触部材１５に、耳つぼに当接する天然鉱石９又は突起部１７又は低周波治療器の小パッド２２が設けられていることを特徴としている。
【００３３】
実施の形態の一例として、第８ａ図は保持体７に本発明６の天然鉱石９を取り付けた斜視図であり、第８ｂ図は接触部材１５に本発明６の天然鉱石９を取り付けた図である。第８ｃ図は保持体７に本発明６の突起部１７を取り付けた斜視図であり、第８ｄ図は接触部材１５に本発明６の突起部１７を取り付けた図である。第８ｅ図は保持体７に低周波治療器の小パッド２２を取り付け、第８ｆ図は接触部材１５に低周波治療器の小パッド２２を取り付けたことを示している。低周波治療器の小パッド２２は、耳つぼに当接するために小さいパッドである。
【００３４】
かかる構成により、保持体７又は接触部材１５に本発明６の天然鉱石９、突起部１７、低周波治療器の小パッド２２を取り付けることによって、其々の特徴を生かした耳つぼ治療をすることができる。
【実施例７】
【００３５】
本発明の請求項７記載の耳つぼメガネ（以下、本発明７と言う）は、前記テンプル４、４の後に結合した前記モダン３、３及び／又は前記保持体７、７及び／又は前記補助棒１４、１４及び／又は前記接触部材１５及び／又は前記板状体３３及び／又は前記網状体３４に、装飾品１９が取り付けられていることを特徴としている。
【００３６】
実施の形態の一例として、第９ａ図は本発明１の保持体７、モダン３に装飾品１９を取り付けた図であり、この保持体７、モダン３の外観から見える部分を装飾品１９で隠すことができる。第９ｂ図本発明１の保持体７、補助棒１４、接触部材１５に装飾品１９を取り付けた図である。
【００３７】
かかる構成により、装飾品１９を取り付けることによって保持体７、補助棒１４、接触部材１５、板状体３３、網状体３４を隠すことができる。また、ピアスの代わりに装飾品１９を取り付けてお洒落を楽しむことができる。耳穴１３内に装飾品１９取り付けることによって、耳全体を飾ることができる。
【実施例８】
【００３８】
本発明の請求項８記載の耳つぼメガネ（以下、本発明８と言う）は、前記テンプル４、４の後に結合した前記モダン３、３の、終端部の最後尾に取り付けた前記保持体７、７及び／又は前記補助棒１４、１４にイヤホーン３５又は補聴器３６が取り付けられていることを特徴としている。
【００３９】
実施の形態の一例として、第１０ａ図は本発明８のイヤホーン３５を保持体７に取り付けた上面図であり、第１０ｂ図は斜視図である。第１０ｃ図は本発明８の補聴器３６を保持体７に取り付けた斜視図である。
【００４０】
かかる構成により、本発明１の保持体７は外耳道２１の近傍に位置し、保持体７にイヤホーン３５を着脱自在に取り付けることによって、イヤホーン３５の保持部が省略されイヤホーン３５を小型化することができる。メガネの必要な高齢者には、本発明１の保持体７に補聴器３６を取り付けることによって、メガネと補聴器３６を同時に使用することができる。
【実施例９】
【００４１】
本発明の請求項９記載の耳つぼメガネ（以下、本発明９と言う）は、前記テンプル４、４及び／又はモダン３、３に、頭の側面に当接するメガネ固定具１８が設けられていることを特徴としている。
【００４２】
本発明９のメガネ固定具１８は、先に出願人が取得している特許第４４６５６９１号であり、メガネのテンプル又はモダン３に複数の孔列又は溝列を設け、この孔列の全ての孔又は溝列の全ての溝に、任意の位置に嵌め込む細長い平板を僅かに湾曲させて設ける。テンプル又はモダン３に内側斜め前方に湾曲した弾力性を有する細長い分枝を設ける。モダン３の周縁に頭の形状に沿って、腕木又は湾曲板又は湾曲網を延設する。モダン３の中間部に設けた伸縮部において、上下伸縮自在にして高さ調整可能にすることによって、其々のメガネ固定具１８でパッド無しメガネを固定する構成である。
【００４３】
実施の形態の一例として、第１１ａ図は本発明９のメガネ固定具１８取り付けたメガネを掛けた状態の側面図であり、第１１ｂ図は本発明９のメガネの斜視図ある。頭の形状に沿って、メガネ固定具１８である一本の腕木が其々のモダン３、３の上端に延設されていて、この腕木がメガネを掛けた時、頭の側面に当接するように設けられていることを示している。メガネ固定具１８を適宜使用して、本発明のメガネを補助的に固定することができる。
【産業上の利用可能性】
【００４４】
以上のように、メガネのパッドを省略することによって、メガネのファッション性が向上し、メガネを掛けた時はモダン３と保持体７の一部分が耳朶５近傍に見えるだけであり、髪の毛の多い人の場合は見えない。長期間メガネを掛けても、鼻の横に形が付いたり、皮膚の色が変色したりすることが無く、鼻に重さを感じる事が無く、実装感の良いメガネである。本発明の保持体７、接触部材１５、天然鉱石９、突起部１７、低周波治療器の小パッド２２で耳つぼを刺激することによって、耳つぼの効果を体験することができるメガネとして適している
【符号の説明】
【００４５】
１    耳珠
２    ヨロイ
３    モダン
４    テンプル
５    耳朶        
６    飢点
７    保持体
８    弾性体
９    天然鉱石
１０    内分泌
１１    レンズ部
１２    副腎
１３    耳穴
１４    補助棒
１５    接触部材
１６    リング状体
１７    突起部
１８    メガネ固定具
１９    装飾品
２０    耳殻  
２１    外耳道
２２    小パッド
２３    胃
２４    腎
２５    腰痛点
２６    肩関節
２７    目
２８    子宮
２９    膝関節
３０    神門
３１    脳点
３２    肺
３３    板状体
３４    網状体    
３５    イヤホーン
３６    補聴器
３７    バンド状体
【要約】
【課題】
日常生活でメガネを必要とする人は多く、メガネを掛けている時間は長時間となる。鼻に接触することなく掛けることができるメガネを、固定している保持体７を利用して、このメガネを掛けている時に、一般的に成されている鍼灸理論に基づいた耳のツボ療法が可能となることを課題としている。
【解決手段】
レンズ部１１が鼻に接触することなく掛けることができるメガネの、モダン３の終端部の最後尾に取り付けた保持体７の形状が、耳の耳珠（じじゅ）１近傍（耳つぼの飢点６、副腎１２）の表裏面を包み込むようにして当接した形状に成されている。この保持体７には、メガネのレンズ部１１、ヨロイ２、テンプル４、モダン３の重さによる押圧が懸かっており、この押圧が耳つぼに当接することにより耳つぼが刺激され、耳つぼの効果が得られる構成である。
【選択図】    図１【図１】
0004824838.tif 000002
【図２】
0004824838.tif 000003
【図３】
0004824838.tif 000004
【図４】
0004824838.tif 000005
【図５】
0004824838.tif 000006
【図６】
0004824838.tif 000007
【図７】
0004824838.tif 000008
【図８】
0004824838.tif 000009
【図９】
0004824838.tif 000010
【図１０】
0004824838.tif 000011
【図１１】
0004824838.tif 000012